(57)【特許請求の範囲】
【請求項１】
離間して配置された弦材同士が、斜方向に配設された複数のラチス材によって連結されるとともに、床側および天井側でそれぞれ支承されたトラス構造体の前記床側支承部構造であって、
前記トラス構造体の下端部弦材間に、下縁部に凹状切欠きが形成された下端部連結材を横架するとともに、床躯体内部に予め床側支承板を外部に立設させた埋込金物を埋設しておき、
前記床側支承板の上端面を支承座面としながら、前記下端部連結材の凹状切欠きを前記床側支承板に係合させるとともに、両側面部に配設された対の狭着板によって脱係不能に拘束したことを特徴とするトラス構造体の支承部構造。
【請求項２】
前記床側支承板の上端面を凸曲面としてある請求項１記載のトラス構造体の支承部構造。
【請求項３】
離間して配置された弦材同士が、斜方向に配設された複数のラチス材によって連結されるとともに、床側および天井側でそれぞれ支承されたトラス構造体の前記天井側支承部構造であって、
前記トラス構造体の上端部弦材間に、上縁部に凹状切欠きが形成された上端部連結材を横架するとともに、天井躯体内部に予め天井側支承板を外部に垂下させた埋込金物を埋設しておき、
前記上端部連結材の凹状切欠きを前記天井側支承板に係合させるとともに、両側面部に配設された対の狭着板によって脱係不能に拘束したことを特徴とするトラス構造体の支承部構造。
【請求項４】
前記狭着板には、下端部連結材または上端部連結材を貫く固定軸が設けられると共に、床側支承板または天井側支承板を貫く固定軸が設けられている請求項１〜３いずれかに記載のトラス構造体の支承部構造。
【請求項５】
前記床側および天井側の支承部に代えて、一方側壁面および他方側壁面の支承部として適用し、前記トラス構造体を横向配置とした請求項１〜４いずれかに記載のトラス構造体の支承部構造。
【発明の詳細な説明】
【０００１】
【発明の属する技術分野】
本発明は、例えばカーテンウォールのパネル支持構造体等として用いられるトラス構造体に係り、床側および天井側の支承部構造に関する。
【０００２】
【従来の技術】
ビル等の１〜２階の吹き抜け部分などに対して適用されるカーテンウォール構造として、たとえば図１９に示されるように、室内側にトラス構造体５０を配置し、このトラス構造体５０に固定された無目５１、５１…を介してカーテンウォールパネルを支持するようにしたものが知られている。
【０００３】
前記トラス構造体５０は、前側弦材５２と後側弦材５３とが離間して配置され、これら両弦材５２、５３がワーレントラス状に配設されたラチス材（斜材）５４、５４…により連結されたものである。
【０００４】
前記トラス構造体５０は、床面および天井面のそれぞれにおいて支承されるが、従来の支承部の構造は、通常、床面または天井面に固定されるベース部材と、トラス構造５０を軸支する連結部材とからなる支承装置が使用されている。
【０００５】
【発明が解決しようとする課題】
しかしながら、従来の支承装置の場合には、前記ベース部材を床面または天井面にアンカーボルト等により固定する作業が発生するため作業が繁雑になるとともに、外部に露出しているため非常に見栄えが悪いなどの問題があった。特に、図２０に示されるように、吹き抜け空間の全面をガラス面とし開放的な空間を演出するため、方立や無目などのパネル支持フレームを無くし、パネル隅部をパネル支持金具５６によって点状支持するようにしたＤＰＧ構造（ドットポイントグレージング構造）の場合には、折角の外観を損なうようになるなどの問題があった。
【０００６】
そこで本発明の主たる課題は、トラス構造体の建込みが簡単に行えるようにするとともに、外観的にすっきりした支承部構造を提供することにある。
【０００７】
【課題を解決するための手段】
前記課題を解決するための本第１発明は、離間して配置された弦材同士が、斜方向に配設された複数のラチス材によって連結されるとともに、床側および天井側でそれぞれ支承されたトラス構造体の前記床側支承部構造であって、
前記トラス構造体の下端部弦材間に、下縁部に凹状切欠きが形成された下端部連結材を横架するとともに、床躯体内部に予め床側支承板を外部に立設させた埋込金物を埋設しておき、
前記床側支承板の上端面を支承座面としながら、前記下端部連結材の凹状切欠きを前記床側支承板に係合させるとともに、両側面部に配設された対の狭着板によって脱係不能に拘束したことを特徴とするものである。この場合、前記床側支承板の上端面を凸曲面としてあるのが望ましい。
【０００８】
また、本第２発明は、離間して配置された弦材同士が、斜方向に配設された複数のラチス材によって連結されるとともに、床側および天井側でそれぞれ支承されたトラス構造体の前記天井側支承部構造であって、
前記トラス構造体の上端部弦材間に、上縁部に凹状切欠きが形成された上端部連結材を横架するとともに、天井躯体内部に予め天井側支承板を外部に垂下させた埋込金物を埋設しておき、
前記上端部連結材の凹状切欠きを前記天井側支承板に係合させるとともに、両側面部に配設された対の狭着板によって脱係不能に拘束したことを特徴とするものである。
【０００９】
上記第１発明および第２発明の場合、前記狭着板には、下端部連結材または上端部連結材を貫く固定軸が設けられると共に、床側支承板または天井側支承板を貫く固定軸が設けられているのが望ましい。
【００１０】
ところで、本発明に係る支承部構造は、前記床側および天井側の支承部に代えて、一方側壁面および他方側壁面の支承部として適用し、前記トラス構造体を横向配置とすることも可能である。
【００１１】
【発明の実施の形態】
以下、本発明の実施の形態について図面を参照しながら詳述する。
【００１２】
〔トラス構造体の構造〕
図１は本トラス構造体を用いて構築されたカーテンウォール壁面の床側内観斜視図であり、図２は本トラス構造体を用いて構築されたカーテンウォール壁面の天井側内観斜視図であり、図３はラチス材連結部を示す要部側面図である。
【００１３】
図１及び図２において、各種材料からなるパネル群Ｐ，Ｐ…が鉛直方向に所定の間隔で配置された無目２、２…によって支持され、ビル等の壁面を構成しているとともに、前記各無目２、２…がトラス構造体１、１…によって支持されている。
【００１４】
前記トラス構造体１は、所定の間隔をおいて平行的に配置された前側弦材３と後側弦材４とが、ワーレントラス状（ジグザグ状）に配設されたラチス材５、５…によって連結された平面トラス材であり、トラス面がパネルＰ面に対して直交するように配置される。前記トラス構造体１は、下端部および上端部がそれぞれ床面Ｆおよび天井面に支持され、パネル面が風圧を受けた場合はパネル面に作用する荷重が前記無目２、２…を介してトラス構造体１に伝達されるようになっている。この場合、前側弦材３が圧縮部材となり、後側弦材４が引張部材となって前記風荷重に対して抵抗する。また、各トラス構造体１、１…は、座屈を防止するためにタイロッド６、６…により相互に連結されている。
【００１５】
前記前側弦材３および後側弦材４（以下、両者を指す場合は単に弦材という。）は、図４〜図６等に示されるように、押出し成形により製造された略馬蹄断面形状の中空部材が用いられ、組みとなる弦材対向がわ面の長手方向には、ラチス材５、５連結箇所に対し開口部７、７…が形成されているとともに、該開口部７近傍にトラス面に対し直交する方向に弦材３、４を貫通する軸貫通孔８、８が形成されている。なお、前記前側弦材３および後側弦材４は、共に同一断面形状の型材が用いられ、前側であるか後側であるかを問わずに共通的に使用できるようになっている。
【００１６】
一方、ラチス材５は、図６等に示されるように、中空円形断面のラチス本体１０の両端部に対してそれぞれ連結用金具１１、１１が取り付けられる。取付けは、ラチス本体１０端部の中空孔にネジ溝を形成し、連結用金具１１の雄ネジ部１１ａを前記ラチス本体１０の端部に螺入させることにより一体化される。なお、符号１２はラチス本体１０の外面側から前記雄ネジ部１１ａに向けて螺入された固定ビスである。前記連結用金具１１は、ベース板１１Ａと、このベース板１１Ａの片側寄り位置、すなわちラチス本体１０の軸芯に対して偏心させた位置に立設された軸挿通部１１ＢとからなるＬ字状部材であり、前記軸挿通部１１Ｂには、支軸を貫通させるための軸貫通孔１１ｂが形成されている。
【００１７】
ラチス材５、５と弦材３（４）との連結は、図６に示されるように、下側ラチス材５Ｌの軸挿通部１１Ｂをラチス材軸芯に対して一方側（図示では左側）になるよう配向するとともに、上側ラチス材５Ｕの軸挿通部１１Ｂをラチス材軸芯に対して他方側（図示では右側）になるように配向し、これら両ラチス材５Ｌ、５Ｕの軸挿通部１１Ｂ、１１Ｂを中間ワッシャを介在させながら重ね合わせるようにする。前記軸挿通部１１Ｂ、１１Ｂを重ね合わせた状態では、前記軸挿通部１１Ｂ、１１Ｂの全幅は、弦材３、４の内空幅より僅かに狭くなってる。
【００１８】
次いで、図７に示されるように、前記軸挿通部１１Ｂ、１１Ｂの外面に夫々端部ワッシャ１４、１４を配設した状態のまま、開口部７から弦材３、４内部にラチス材５Ｌ、５Ｕの端部を挿入したならば、前記軸貫通孔８、８および前記軸挿通部１１Ｂ、１１Ｂの軸貫通孔１１ｂ、１１ｂを同軸的に貫通して設けられるタイロッド６、６の連結を兼用する支軸１５によって前記下側ラチス材５Ｌと上側ラチス材５Ｕとが軸支される。
【００１９】
前記支軸１５は、タイロッド６、６を連結するために両側にそれぞれネジ部１５ａ、１５ａを有し、一方、タイロッド６は端部にソケット１７を挿通した後、端部に前記ソケット１７の挿通孔よりも大径の定着部６ａが固着されている。タイロッド６の連結は、外面にネジ溝が形成された連結カプラー１６を支軸１５のネジ部１５ａに螺合させた後、この連結カプラー１６に対して前記ソケット１７を螺合連結することにより行われる。タイロッド６の張力調整は、たとえば図示しないターンバックルをタイロッド６の中間部に取付けて行うことができる。図８に前記ラチス材５、５の連結を完了するとともに、タイロッド６、６の連結を完了した状態を示す。なお、前記タイロッド６に代えて、タイケーブルによりトラス構造体１、１…を相互に連結することでもよい。
【００２０】
ところで、前記タイロッド６が連結される箇所以外のラチス材５、５連結部では、図９に示されるように、前記支軸１５に代えて、一方側端部に円板状の軸頭部１８ａを備えるとともに、他方側端部に雌ねじ部１８ｂが形成された支軸１８が使用され、ラチス材５Ｌ、５Ｕを軸支した後、前記雌ねじ部１８ｂに螺入ネジ部１９ａを備えた円板状の軸固定部材１９が螺合される。
【００２１】
他方、前記トラス構造体１、１…の前側弦材３には、無目２、２…を取り付けるために無目支持金具２０が固定される。前記無目支持金具２０は、図１０に示されるように、前側弦材３の室外側面３ａの形状に整合する凹曲面２０ａが形成されたブロック体２０Ａと、このブロック体２０Ａの室外側面に一体的に固定されるとともに、外方に臨む雌ねじ部２０ｂを有する連結軸部２０Ｂとからなる部材で、上下部にそれぞれ形成されたボルト貫通孔２０ｃ、２０ｃに挿入される固定ボルト２１、２１により固定されるようになっている。
【００２２】
〔床側支承部構造〕
次いで、前述したトラス構造体１の床側支承構造について、図１１〜図１４に基づいて詳述する。
【００２３】
前記トラス構造体１の下端部には、前側弦材３と後側弦材４とを連結する下端部連結材２６が設けられる。この下端部連結材２６は、板状部２６Ａの上縁部に部材長手方向に沿って断面円形の連結軸部２６Ｂが形成された部材で、前記板状部２６Ａの下縁中央部には凹状の切欠き部２６ａが形成されている。前側弦材３および後側弦材４との連結は、雄ネジ部２７ａを有する連結ピース材２７および雄ネジ部２８ａを有する連結ピース材２８をそれぞれ、前記連結軸部２６Ｂの端面に形成された雌ねじ部２６ｂ、２６ｂに対して螺合させ、前記連結ピース材２７、２８および弦材３、４を貫く軸部材２９、３０により側部上端側が軸支されるとともに、弦材３、４の内部に挿入された前記板状部２６Ａの端部と弦材３、４を貫く軸部材３１、３２により側部下端側が軸支されている。なお、前記軸部材２９は、ラチス材５を支持する軸部材を兼用するようになっている。
【００２４】
一方、床面側には、床コンクリート打設時に埋設された埋込金物（埋込部分は図示せず）から延在する床側支承板２５が立設されている。
【００２５】
そして、トラス構造体１の下端部を支承させるには、前記下端部連結材２６の凹状切欠き部２６ａを前記床側支承板２５の上端部に係合させることにより、前記床側支承板２５の上端面を支承座面として支持されるようになっている。また、板面直交方向への逸脱を防止するため、両側面にそれぞれ、前記床側支承板２５と下端部連結材２６とに跨る対の狭着板３３、３４を配設し、下端部連結材２６側の板面を貫通する固定軸部材３５を設けるとともに、床側支承板２５側の板面を貫通する固定軸部材３６を設けるようにする。なお、前記床側支承板２５の上端面が緩やかな凸曲面とし、トラス構造体１が若干任意方向に傾斜していても、その傾斜誤差を吸収できるようになっている。
【００２６】
〔天井側支承部構造〕
次いで、前述したトラス構造体１の天井側支承構造について、図１５〜図１８に基づいて詳述する。
【００２７】
前記トラス構造体１の上端部には、前側弦材３と後側弦材４とを連結する上端部連結材３８が設けられる。この上端部連結材３８は、板状部３８Ａの下縁部に部材長手方向に沿って断面円形の連結軸部３８Ｂが形成された部材で、前記板状部３８Ａの上縁中央部には凹状の切欠き部３８ａが形成されている。前側弦材３および後側弦材４との連結は、雄ネジ部３９ａを有する連結ピース材３９および雄ネジ部４０ａを有する連結ピース材４０をそれぞれ前記連結軸部３８Ｂの端面に形成された雌ねじ部３８ｂ、３８ｂに対して螺合させ、前記連結ピース材３９、４０および弦材３、４を貫く軸部材４１、４２により側部下端側が軸支されるとともに、弦材３、４の内部に挿入された前記板状部３８Ａの端部と弦材３、４を貫く軸部材４３、４４により側部上端側が軸支されている。なお、前記軸部材４２は、ラチス材５を支持する軸部材を兼用するようになっている。
【００２８】
一方、天井側には、天井コンクリート打設時に埋設された埋込金物（埋込部分は図示せず）から延在するとともに、下縁中央に縦方向に沿う深溝３７ａが形成された天井側支承板３７が垂下されている。
【００２９】
そして、トラス構造体１の上端部を支承させるには、前記上端部連結材３８の凹状切欠き部３８ａを前記天井側支承板３７に係合させるとともに、板面直交方向への逸脱を防止するため、両側面にそれぞれ、前記天井側支承板３７と上端部連結材３８とに跨る対の狭着板４５、４６を配設し、上端部連結材３８側の板面を貫通する固定軸部材４７を設けるとともに、天井側支承板３７側の板面を貫通する固定軸部材４８を設けるようにする。なお、前記天井側支承板３７側の固定軸部材４８は天井側支承板３７の深溝３７ａを貫通するようになっており、高さ方向の建込み誤差を吸収できるようになっている。
【００３０】
なお、本実施例ではパネル支持のための無目構造を示したが、ＤＰＧ（ドットポイントグレージング）など任意の支持構造に対しても同様に適用することができる。また、前記床側および天井側の支承部に代えて、一方側壁面および他方側壁面の支承部として適用し、トラス構造体１を水平方向に配置し横架材などとしても使用することもできる。
【００３１】
【発明の効果】
以上詳説のとおり、本発明に係るトラス構造体の支承部構造によれば、トラス構造体の建込みが簡単に行えるようになるとともに、外観的にすっきりしたものとできる。
【図面の簡単な説明】
【図１】本トラス構造体を用いて構築されたカーテンウォール壁面の床側内観斜視図である。
【図２】本トラス構造体を用いて構築されたカーテンウォール壁面の天井側内観斜視図である。
【図３】ラチス材連結部を示す要部側面図である。
【図４】図３のＩＶ−ＩＶ線矢視図である。
【図５】図３のＶ−Ｖ線矢視図である。
【図６】ラチス材連結要領（その１）を示す図である。
【図７】ラチス材連結要領（その２）を示す図である。
【図８】ラチス材連結要領（その３）を示す図である。
【図９】タイロッド連結部以外のラチス材連結要領を示す図である。
【図１０】無目支持金具２０の取付け要領図である。
【図１１】トラス構造体１の床側支承部の構造を示す分解図である。
【図１２】トラス構造体１の床側支承部を示す側面図である。
【図１３】図１２のＸＩＩＩ−ＸＩＩＩ線矢視図である。
【図１４】図１２のＸＩＶ−ＸＩＶ線矢視図である。
【図１５】トラス構造体１の天井側支承部の構造を示す分解図である。
【図１６】トラス構造体１の天井支承部を示す側面図である。
【図１７】図１６のＸＶＩＩ−ＸＶＩＩ線矢視図である。
【図１８】図１６のＸＶＩＩＩ−ＸＶＩＩＩ線矢視図である。
【図１９】従来のトラス構造体（その１）を示す要部側面図である。
【図２０】従来のトラス構造体（その２）を示す要部側面図である。
【符号の説明】
１…トラス構造体、２…無目、３…前側弦材、４…後側弦材、５…ラチス材、６…タイロッド、７…開口部、８…軸貫通孔、１０…ラチス本体、１１…連結用金具、１１Ｂ…軸挿通部、１１ｂ…軸貫通孔、１５・１８…支軸、１６…連結カプラー、１７…ソケット、２０…無目支持金具、２１…固定ボルト、２５…床側支承板、２６…下端部連結材、２６ａ…凹状切欠き、３３・３４…狭着板、３７…天井支承板、３８…上端部連結材、３８ａ…凹状切欠き、４５・４６…狭着板、Ｐ…パネル
【図１】
0003570549.tif 000002
【図２】
0003570549.tif 000003
【図３】
0003570549.tif 000004
【図４】
0003570549.tif 000005
【図５】
0003570549.tif 000006
【図６】
0003570549.tif 000007
【図７】
0003570549.tif 000008
【図８】
0003570549.tif 000009
【図９】
0003570549.tif 000010
【図１０】
0003570549.tif 000011
【図１１】
0003570549.tif 000012
【図１２】
0003570549.tif 000013
【図１３】
0003570549.tif 000014
【図１４】
0003570549.tif 000015
【図１５】
0003570549.tif 000016
【図１６】
0003570549.tif 000017
【図１７】
0003570549.tif 000018
【図１８】
0003570549.tif 000019
【図１９】
0003570549.tif 000020
【図２０】
0003570549.tif 000021